(57)【特許請求の範囲】
【請求項１】
情報を分類する２種の属性を、行方向の軸、または列方向の軸にそれぞれ割り当てた表を表示する第１表示領域と、前記情報を表示する第２表示領域とを有する情報表示画面を生成する画面生成部と、
前記情報表示画面の出力を制御する画面出力制御部とを備え、
前記画面生成部は、前記行方向の軸に割り当てた前記属性が選択される第１選択方式、前記列方向の軸に割り当てた前記属性が選択される第２選択方式、および前記２種の属性の交差部分であるセルが選択される第３選択方式のそれぞれの選択方式に応じて、前記情報を異なる３通りの表示形式で前記第２表示領域に表示する情報分析支援装置。
【請求項２】
前記情報は、１人の患者の診療過程で取得された複数項目の診療データである請求項１に記載の情報分析支援装置。
【請求項３】
前記２種の属性は、前記診療データが取得された日付および前記診療データの項目であり、
前記画面生成部は、前記行方向の軸、または前記列方向の軸の一方に前記日付、他方に前記項目を割り当て、
前記第１選択方式または前記第２選択方式の一方によって前記日付が選択された場合、前記表示形式を、選択された日付に取得された前記診療データを並べて前記第２表示領域に表示する第１表示形式とし、
前記第１選択方式または前記第２選択方式の他方によって前記項目が選択された場合、前記表示形式を、前記診療データの時系列変化を前記第２表示領域に表示する第２表示形式とし、
前記第３選択方式によって前記セルが選択された場合、前記表示形式を、前記診療データの詳細を前記第２表示領域に表示する第３表示形式とする請求項２に記載の情報分析支援装置。
【請求項４】
前記第１表示形式において、前記第２表示領域の前記診療データが選択された場合、前記画面生成部は、前記第３表示形式と同様に、選択された前記診療データの詳細を前記第２表示領域に表示する請求項３に記載の情報分析支援装置。
【請求項５】
前記第１選択方式または前記第２選択方式では、前記項目を複数選択することが可能であり、
前記項目が複数選択された場合、前記画面生成部は、前記第２表示形式において、選択された複数の前記診療データの時系列変化を並べて前記第２表示領域に表示する請求項３または４に記載の情報分析支援装置。
【請求項６】
前記第３選択方式では、前記セルを複数選択することが可能であり、
前記セルが複数選択された場合、前記画面生成部は、前記第３表示形式において、選択された複数の前記セルに対応する前記診療データの詳細を並べて前記第２表示領域に表示する請求項３ないし５のいずれか１項に記載の情報分析支援装置。
【請求項７】
前記第１表示形式において、前記画面生成部は、前記第１選択方式または前記第２選択方式によって選択された前記日付に取得された前記診療データがない場合、選択された前記日付よりも過去に取得された前記診療データのうちの最新の前記診療データを前記第２表示領域に表示する請求項３ないし６のいずれか１項に記載の情報分析支援装置。
【請求項８】
前記画面生成部は、前記第１選択方式または前記第２選択方式によって選択された前記日付に取得された前記診療データを他の前記診療データと区別して表示する請求項７に記載の情報分析支援装置。
【請求項９】
前記画面生成部は、前記項目として、少なくとも前記患者に対して実施した医療検査と前記患者に投与した治療薬とを前記行方向の軸、または前記列方向の軸の一方に割り当て、
前記診療データとして、前記医療検査の検査結果と前記治療薬およびその投与量とを前記第２表示領域に表示する請求項３ないし８のいずれか１項に記載の情報分析支援装置。
【請求項１０】
前記検査結果は複数の検査項目を有する請求項９に記載の情報分析支援装置。
【請求項１１】
前記第１表示形式において、前記画面生成部は、初診時に取得された前記検査結果を前記第２表示領域に表示する場合、複数の前記検査項目のうちの予め設定された主要検査項目以外の他の検査項目も含めて表示し、
前記初診時以外に取得された前記検査結果を前記第２表示領域に表示する場合、前記主要検査項目のみを表示する請求項１０に記載の情報分析支援装置。
【請求項１２】
前記第１表示形式において、前記画面生成部は、前記第２表示領域に並べて表示する前記検査結果の多寡に応じて、前記第２表示領域に表示する１つの前記検査結果の前記検査項目の数を増減させる請求項１０または１１に記載の情報分析支援装置。
【請求項１３】
前記第１表示形式において、前記画面生成部は、前記診療データの詳細を前記第２表示領域にポップアップ表示する請求項３ないし１２のいずれか１項に記載の情報分析支援装置。
【請求項１４】
前記画面生成部は、詳細をポップアップ表示した前記診療データに対応する前記セルを他の前記セルと区別して表示する請求項１３に記載の情報分析支援装置。
【請求項１５】
前記第１表示形式において、前記画面生成部は、前記診療データとして、さらにカルテ記述、入退院を含むイベント、および既往歴を前記第２表示領域に表示する請求項３ないし１４のいずれか１項に記載の情報分析支援装置。
【請求項１６】
情報を分類する２種の属性を、行方向の軸、または列方向の軸にそれぞれ割り当てた表を表示する第１表示領域と、前記情報を表示する第２表示領域とを有する情報表示画面を生成する画面生成ステップと、
前記情報表示画面の出力を制御する画面出力制御ステップとを備え、
前記画面生成ステップでは、前記行方向の軸に割り当てた前記属性が選択される第１選択方式、前記列方向の軸に割り当てた前記属性が選択される第２選択方式、および前記２種の属性の交差部分であるセルが選択される第３選択方式のそれぞれの選択方式に応じて、前記情報を異なる３通りの表示形式で前記第２表示領域に表示する情報分析支援装置の作動方法。
【請求項１７】
情報を分類する２種の属性を、行方向の軸、または列方向の軸にそれぞれ割り当てた表を表示する第１表示領域と、前記情報を表示する第２表示領域とを有する情報表示画面を生成する画面生成機能と、
前記情報表示画面の出力を制御する画面出力制御機能とをコンピュータに実行させ、
前記画面生成機能は、前記行方向の軸に割り当てた前記属性が選択される第１選択方式、前記列方向の軸に割り当てた前記属性が選択される第２選択方式、および前記２種の属性の交差部分であるセルが選択される第３選択方式のそれぞれの選択方式に応じて、前記情報を異なる３通りの表示形式で前記第２表示領域に表示する情報分析支援装置の作動プログラム。
【請求項１８】
情報分析支援装置と、前記情報分析支援装置にネットワークを通じて接続されたクライアント端末とを備える情報分析支援システムにおいて、
情報を分類する２種の属性を、行方向の軸、または列方向の軸にそれぞれ割り当てた表を表示する第１表示領域と、前記情報を表示する第２表示領域とを有する情報表示画面を生成する画面生成部と、
前記情報表示画面の出力を制御する画面出力制御部とを備え、
前記画面生成部は、前記行方向の軸に割り当てた前記属性が選択される第１選択方式、前記列方向の軸に割り当てた前記属性が選択される第２選択方式、および前記２種の属性の交差部分であるセルが選択される第３選択方式のそれぞれの選択方式に応じて、前記情報を異なる３通りの表示形式で前記第２表示領域に表示する情報分析支援システム。
【発明の詳細な説明】
【技術分野】
【０００１】
本発明は、情報分析支援装置とその作動方法および作動プログラム、並びに情報分析支援システムに関する。
【背景技術】
【０００２】
情報の分析、例えば１人の患者の診療過程で取得された複数項目の診療データの分析を支援するため、特許文献１、２では、１人の患者に対して実施された複数項目の医療検査の検査結果の履歴を、医療検査を実施した日付を含む時間軸を行方向の軸、医療検査の項目を列方向の軸に割り当てた表で表示している。表の日付と項目の交差部分であるセルにはアイコンが配され、どの日にどういった医療検査が実施されたかが一目で分かるようになっている。また、特許文献１、２では、画面の切り替え操作の煩わしさを解消するために、表を表示する第１表示領域と、医療検査の検査結果を表示する第２表示領域とを同一画面上に配している。
【０００３】
特許文献１には、アイコンが選択されたことに応じて、選択されたアイコンに対応する医療検査の詳細（例えば医療検査が画像検査であった場合は検査画像）を第２表示領域に表示する表示形式が記載されている。特許文献２には、第１表示領域の任意の位置でマウスが右クリックされ、かつ「この時点における最新検査を表示」が選択されたことに応じて、上記任意の位置の日付における最新の医療検査の検査結果を第２表示領域に並べて表示する表示形式が記載されている。このように特許文献１、２では、表への選択操作が検査結果を第２表示領域に表示するトリガーとなっている。
【先行技術文献】
【特許文献】
【０００４】
【特許文献１】特開２０１４−１５３９２０号公報
【特許文献２】国際公開第２０１１／１２２４０２号
【発明の概要】
【発明が解決しようとする課題】
【０００５】
ここで、情報を分析して何らかの判断を下す場合に、状況に応じた正確な判断をするためには、１つの偏った視点だけでなく様々な視点から多角的に情報を把握することが重要である。特に、医師が医療検査の検査結果を分析して診断を下す場合には、例えば初診から入院まではより広範な検査結果、手術の直前直後はより詳細な検査結果、手術後の通院による経過観察では検査結果の時系列変化、というように、診療のフェーズに応じて検査結果の分析の視点が異なるため、多角的に情報を把握する必要性が高い。
【０００６】
また、同一の診療フェーズの中であっても、例えば診断をする際には、広範な検査結果で全体像を掴み、着目する項目をより詳細な検査結果で確認したり、投薬の判断をするために検査結果の時系列変化をチェックする、といったように、多角的に情報を把握することが必要である。
【０００７】
しかしながら、特許文献１、２では、１つの視点の表示形式でしか検査結果を表示することができない。このため、特許文献１、２では多角的に情報を把握することができなかった。
【０００８】
本発明は、多角的に情報を把握することが可能な情報分析支援装置とその作動方法および作動プログラム、並びに情報分析支援システムを提供することを目的とする。
【課題を解決するための手段】
【０００９】
上記目的を達成するために、本発明の情報分析支援装置は、情報を分類する２種の属性を、行方向の軸、または列方向の軸にそれぞれ割り当てた表を表示する第１表示領域と、情報を表示する第２表示領域とを有する情報表示画面を生成する画面生成部と、情報表示画面の出力を制御する画面出力制御部とを備え、画面生成部は、行方向の軸に割り当てた属性が選択される第１選択方式、列方向の軸に割り当てた属性が選択される第２選択方式、および２種の属性の交差部分であるセルが選択される第３選択方式のそれぞれの選択方式に応じて、情報を異なる３通りの表示形式で第２表示領域に表示する。
【００１０】
情報は、１人の患者の診療過程で取得された複数項目の診療データであることが好ましい。この場合、２種の属性は、診療データが取得された日付および診療データの項目であり、画面生成部は、行方向の軸、または列方向の軸の一方に日付、他方に項目を割り当て、第１選択方式または第２選択方式の一方によって日付が選択された場合、表示形式を、選択された日付に取得された診療データを並べて第２表示領域に表示する第１表示形式とし、第１選択方式または第２選択方式の他方によって項目が選択された場合、表示形式を、診療データの時系列変化を第２表示領域に表示する第２表示形式とし、第３選択方式によってセルが選択された場合、表示形式を、診療データの詳細を第２表示領域に表示する第３表示形式とすることが好ましい。
【００１１】
第１表示形式において、第２表示領域の診療データが選択された場合、画面生成部は、第３表示形式と同様に、選択された診療データの詳細を第２表示領域に表示することが好ましい。
【００１２】
第１選択方式または第２選択方式では、項目を複数選択することが可能であり、項目が複数選択された場合、画面生成部は、第２表示形式において、選択された複数の診療データの時系列変化を並べて第２表示領域に表示することが好ましい。
【００１３】
第３選択方式では、セルを複数選択することが可能であり、セルが複数選択された場合、画面生成部は、第３表示形式において、選択された複数のセルに対応する診療データの詳細を並べて第２表示領域に表示することが好ましい。
【００１４】
第１表示形式において、画面生成部は、第１選択方式または第２選択方式によって選択された日付に取得された診療データがない場合、選択された日付よりも過去に取得された診療データのうちの最新の診療データを第２表示領域に表示することが好ましい。この場合、画面生成部は、第１選択方式または第２選択方式によって選択された日付に取得された診療データを他の診療データと区別して表示することが好ましい。
【００１５】
画面生成部は、項目として、少なくとも患者に対して実施した医療検査と患者に投与した治療薬とを行方向の軸、または列方向の軸の一方に割り当て、診療データとして、医療検査の検査結果と治療薬およびその投与量とを第２表示領域に表示することが好ましい。
【００１６】
検査結果は複数の検査項目を有することが好ましい。この場合、第１表示形式において、画面生成部は、初診時に取得された検査結果を第２表示領域に表示する場合、複数の検査項目のうちの予め設定された主要検査項目以外の他の検査項目も含めて表示し、初診時以外に取得された検査結果を第２表示領域に表示する場合、主要検査項目のみを表示することが好ましい。
【００１７】
または、第１表示形式において、画面生成部は、第２表示領域に並べて表示する検査結果の多寡に応じて、第２表示領域に表示する１つの検査結果の検査項目の数を増減させることが好ましい。
【００１８】
第１表示形式において、画面生成部は、診療データの詳細を第２表示領域にポップアップ表示することが好ましい。この場合、画面生成部は、詳細をポップアップ表示した診療データに対応するセルを他のセルと区別して表示することが好ましい。
【００１９】
第１表示形式において、画面生成部は、診療データとして、さらにカルテ記述、入退院を含むイベント、および既往歴を第２表示領域に表示することが好ましい。
【００２０】
本発明の情報分析支援装置の作動方法は、情報を分類する２種の属性を、行方向の軸、または列方向の軸にそれぞれ割り当てた表を表示する第１表示領域と、情報を表示する第２表示領域とを有する情報表示画面を生成する画面生成ステップと、情報表示画面の出力を制御する画面出力制御ステップとを備え、画面生成ステップでは、行方向の軸に割り当てた属性が選択される第１選択方式、列方向の軸に割り当てた属性が選択される第２選択方式、および２種の属性の交差部分であるセルが選択される第３選択方式のそれぞれの選択方式に応じて、情報を異なる３通りの表示形式で第２表示領域に表示する。
【００２１】
本発明の情報分析支援装置の作動プログラムは、情報を分類する２種の属性を、行方向の軸、または列方向の軸にそれぞれ割り当てた表を表示する第１表示領域と、情報を表示する第２表示領域とを有する情報表示画面を生成する画面生成機能と、情報表示画面の出力を制御する画面出力制御機能とをコンピュータに実行させ、画面生成機能は、行方向の軸に割り当てた属性が選択される第１選択方式、列方向の軸に割り当てた属性が選択される第２選択方式、および２種の属性の交差部分であるセルが選択される第３選択方式のそれぞれの選択方式に応じて、情報を異なる３通りの表示形式で第２表示領域に表示する。
【００２２】
本発明の情報分析支援システムは、情報分析支援装置と、情報分析支援装置にネットワークを通じて接続されたクライアント端末とを備える情報分析支援システムにおいて、情報を分類する２種の属性を、行方向の軸、または列方向の軸にそれぞれ割り当てた表を表示する第１表示領域と、情報を表示する第２表示領域とを有する情報表示画面を生成する画面生成部と、情報表示画面の出力を制御する画面出力制御部とを備え、画面生成部は、行方向の軸に割り当てた属性が選択される第１選択方式、列方向の軸に割り当てた属性が選択される第２選択方式、および２種の属性の交差部分であるセルが選択される第３選択方式のそれぞれの選択方式に応じて、情報を異なる３通りの表示形式で第２表示領域に表示する。
【発明の効果】
【００２３】
本発明によれば、情報を分類する２種の属性を、行方向の軸、または列方向の軸にそれぞれ割り当てた表を表示する第１表示領域と、情報を表示する第２表示領域とを有する情報表示画面において、行方向の軸に割り当てた属性が選択される第１選択方式、列方向の軸に割り当てた属性が選択される第２選択方式、および２種の属性の交差部分であるセルが選択される第３選択方式のそれぞれの選択方式に応じて、情報を異なる３通りの表示形式で第２表示領域に表示するので、多角的に情報を把握することが可能な情報分析支援装置とその作動方法および作動プログラム、並びに情報分析支援システムを提供することができる。
【図面の簡単な説明】
【００２４】
【図１】情報分析支援システムを示す図である。
【図２】カルテＤＢに格納された電子カルテの内容を示す図である。
【図３】画像ＤＢに格納された検査画像の内容を示す図である。
【図４】レポートＤＢに格納された医用レポートの内容を示す図である。
【図５】クライアント端末および情報分析支援サーバを構成するコンピュータを示すブロック図である。
【図６】クライアント端末および情報分析支援サーバのＣＰＵの各機能部を示すブロック図である。
【図７】患者ＩＤ入力画面を示す図である。
【図８】日付が選択された場合の情報表示画面を示す図である。
【図９】第１表示領域を示す図である。
【図１０】日付が選択された場合の第２表示領域を示す図である。
【図１１】第２表示領域のウィンドウに表示される医療検査の検査結果がどの日付のものかを示す説明図である。
【図１２】項目が選択された場合の情報表示画面を示す図である。
【図１３】項目が選択された場合の第２表示領域を示す図である。
【図１４】項目が複数選択された場合の情報表示画面を示す図である。
【図１５】セルが選択された場合の情報表示画面を示す図である。
【図１６】セルが選択された場合の第２表示領域を示す図である。
【図１７】セルが複数選択された場合の情報表示画面を示す図である。
【図１８】セルが選択された場合の情報表示画面の別の例を示す図である。
【図１９】セルが複数選択された場合の情報表示画面の別の例を示す図である。
【図２０】表の選択方式と情報表示画面の表示形式の関係を示す説明図である。
【図２１】表の選択方式と情報表示画面の表示形式の関係を示す説明図である。
【図２２】情報分析支援サーバのＣＰＵの処理手順を示すフローチャートである。
【図２３】第２実施形態を示す説明図である。
【図２４】第３実施形態を示す説明図である。
【図２５】第４実施形態を示す説明図である。
【図２６】第５実施形態を示す説明図である。
【発明を実施するための形態】
【００２５】
[第１実施形態]
図１において、情報分析支援システム１０は、医療施設内に構築され、クライアント端末１１、および情報分析支援装置に相当する情報分析支援サーバ１２等を備える。クライアント端末１１と情報分析支援サーバ１２は、医療施設内に敷設されたＬＡＮ（Local Area Network）等のネットワーク１３を介して相互に通信可能に接続されている。
【００２６】
ネットワーク１３には、電子カルテサーバ１４、画像サーバ１５、およびレポートサーバ１６（以下、まとめてサーバ群１７と表記）も接続されている。電子カルテサーバ１４はカルテデータベース（以下、ＤＢ（Data Base）と略記）１４Ａを有し、カルテＤＢ１４Ａには電子カルテ１８が検索可能に記録されている。画像サーバ１５は画像ＤＢ１５Ａを有し、画像ＤＢ１５Ａには各種画像検査で得られた検査画像１９が検索可能に記録されている。レポートサーバ１６はレポートＤＢ１６Ａを有し、レポートＤＢ１６Ａには検査画像１９を読影医が読影した結果である所見をまとめた医用レポート２０が検索可能に記録されている。
【００２７】
クライアント端末１１、情報分析支援サーバ１２、およびサーバ群１７は、パーソナルコンピュータ、サーバコンピュータ、ワークステーションといったコンピュータをベースに、オペレーティングシステム等の制御プログラムや、各種アプリケーションプログラムをインストールして構成される。
【００２８】
情報分析支援サーバ１２は、情報として、医療施設を受診した１人の患者の診療過程で取得された診療データの分析を支援するための情報表示画面２１（図８等も参照）を出力する機能を有する。サーバ群１７は、電子カルテ１８、検査画像１９、および医用レポート２０をそれぞれ管理する機能を有する。
【００２９】
クライアント端末１１は、患者を診療する医師や患者を看護する看護師、各種医療検査を実施する検査技師等（以下、まとめて医療スタッフと表記）により操作される。クライアント端末１１は、内科、外科、検査科、リハビリ科等の診療科毎や医療スタッフ毎に複数台配備されている。クライアント端末１１は、情報分析支援サーバ１２およびサーバ群１７が提供する各種機能を利用して患者の診療を行う際、具体的には電子カルテ１８、検査画像１９、医用レポート２０、あるいは情報表示画面２１を閲覧する際や、電子カルテ１８に各種診療データを入力したり、医用レポート２０を作成する際等に使用される。なお、クライアント端末１１は、各診療科に据え置かれる据え置き型でもよいし、各医療スタッフが持ち運ぶ携帯型でもよい。
【００３０】
情報分析支援サーバ１２は、クライアント端末１１からの配信要求を受け付ける。情報分析支援サーバ１２は、配信要求に応じた診療データをサーバ群１７から取得し、取得した診療データに基づいて情報表示画面２１を生成する。情報分析支援サーバ１２は、生成した情報表示画面２１を、配信要求の要求元のクライアント端末１１に送信する。
【００３１】
情報分析支援サーバ１２は、ウェブブラウザ上で閲覧可能な情報表示画面２１を配信する。情報分析支援サーバ１２は、クライアント端末１１に対して認証キーを発行して、情報分析支援サーバ１２へのアクセス権限を与える。クライアント端末１１には、情報分析支援サーバ１２から配信された情報表示画面２１が表示される。
【００３２】
情報分析支援サーバ１２は、情報表示画面２１を、例えば、ＸＭＬ（Extensible Markup Language）等のマークアップ言語によって作成されるウェブ配信用の画面データの形式で出力する。クライアント端末１１は、画面データに基づき情報表示画面２１をウェブブラウザ上に再現して表示する。なお、ＸＭＬに代えて、ＪＳＯＮ（JavaScript（登録商標） Object Notation）等の他のデータ記述言語を利用してもよい。
【００３３】
図２において、カルテＤＢ１４Ａの電子カルテ１８は、「１２３４５６７」といった患者ＩＤ（Identification Data）が関連付けられて患者単位で管理される。電子カルテサーバ１４は、この患者ＩＤを検索キーとしてカルテＤＢ１４Ａから電子カルテ１８を検索することが可能である。
【００３４】
電子カルテ１８は複数項目の診療データで構成される。診療データの項目には、血液検査、尿検査等の患者に対して実施した各種検体検査、患者に投与した治療薬、医師が電子カルテ１８に入力した患者の主訴といった診察内容や疾患名等のカルテ記述、初診、入退院等の患者の診療過程で生じたイベント、既往歴等がある。診療データは、これら各項目別に整理されて時系列に記録されている。
【００３５】
診療データの各項目の１件分のレコードは、検体検査の実施日、治療薬の投与日、イベントの発生日といった日付と、検体検査の複数の検査項目の検査値（検査結果）、治療薬の投与量、イベント名といった具体的な内容とで構成される。検査項目は、例えば診療データの項目が血液検査の場合、クレアチニン、ＢＵＮ（Blood Urea Nitrogen；血液尿素窒素）、随時血糖等であり、診療データの項目が尿検査の場合、尿酸、血糖、ｐＨ（Potential Hydrogen；水素イオン濃度指数）等である。
【００３６】
なお、電子カルテ１８には、患者ＩＤの他、患者の氏名、性別、年齢、生年月日、嗜好（喫煙、飲酒の有無）といった患者情報が記録されている。また、診療データの項目には、上記に挙げたものの他に、患者の心拍、脈拍、血圧、体温等のバイタルサイン、医療検査、レポート作成、手術、投薬等の指示を記したオーダ、医療スタッフ間の連絡事項や備忘録を記したメモ等がある。
【００３７】
図３において、画像ＤＢ１５Ａの検査画像１９は、電子カルテ１８と同じく患者ＩＤが関連付けられて患者単位で管理される。電子カルテサーバ１４と同じく、画像サーバ１５は、患者ＩＤを検索キーとして画像ＤＢ１５Ａから検査画像１９を検索することが可能である。
【００３８】
検査画像１９は、各種画像検査で得られた画像である。各種画像検査には、例えばＥＣＧ（Electro cardiogram；心電図）検査（ホルターＥＣＧ検査、負荷ＥＣＧ検査を含む）、ＣＡＧ（Coronary Angiography；冠動脈カテーテル）検査、ＵＳ（Ultrasonography；超音波）検査、ＣＲ（Computed Radiography；コンピュータＸ線撮影）検査、ＣＴ（Computed tomography；コンピュータ断層撮影）検査、ＭＲＩ（Magnetic Resonance Imaging；核磁気共鳴画像法）検査、内視鏡検査等がある。ＣＲ検査、ＣＴ検査、ＭＲＩ検査等の検査画像１９は、例えばＤＩＣＯＭ（Digital Imaging and Communications in Medicine）規格のデータファイル形式で作成される。
【００３９】
検査画像１９の１件分のファイルは、検査画像１９の本体と、画像検査の実施日、画像ＩＤおよびオーダＩＤ、「ＣＲ検査」、「ＣＡＧ検査」等の画像検査の種類および「胸部」、「ＬＡＯ（Left Anterior Oblique view）＋ＣＲＡ（Cranial）」等の撮影部位、方向といった様々な付帯情報とで構成される。画像検査の種類は、診療データの項目として扱われる。画像サーバ１５は、こうした付帯情報とともに検査画像１９を診療データとして情報分析支援サーバ１２に送信する。
【００４０】
画像ＩＤは、各検査画像１９を識別するための番号や記号であり、オーダＩＤは、各種画像検査を指示するオーダを識別するための番号や記号である。ＣＴ検査やＣＡＧ検査等、１回に複数枚の検査画像１９が撮影される画像検査の場合は、複数枚の検査画像１９が１回の画像検査で得られたことを示すために各検査画像１９に共通のオーダＩＤが付与され、１まとめの検査画像１９として管理される。
【００４１】
図４において、レポートＤＢ１６Ａの医用レポート２０は、電子カルテ１８、検査画像１９と同じく患者ＩＤが関連付けられて患者単位で管理される。各サーバ１４、１５と同じく、レポートサーバ１６は、患者ＩＤを検索キーとしてレポートＤＢ１６Ａから医用レポート２０を検索することが可能である。
【００４２】
医用レポート２０の１件分のファイルは、医用レポート２０の本体と、医用レポート２０の作成日、レポートＩＤ、医用レポート２０に添付した検査画像１９の画像ＩＤおよびオーダＩＤ、並びに画像検査の種類および撮影部位、方向等の付帯情報とで構成される。レポートサーバ１６は、こうした付帯情報とともに医用レポート２０を診療データとして情報分析支援サーバ１２に送信する。
【００４３】
図５において、クライアント端末１１および情報分析支援サーバ１２を構成するコンピュータは、基本的な構成は同じであり、それぞれ、ストレージデバイス２５、メモリ２６、ＣＰＵ（Central Processing Unit）２７、通信部２８、ディスプレイ２９、および入力デバイス３０を備えている。これらはデータバス３１を介して相互接続されている。
【００４４】
ストレージデバイス２５は、クライアント端末１１等を構成するコンピュータに内蔵、またはケーブルやネットワークを通じて接続されたハードディスクドライブ、もしくはハードディスクドライブを複数台連装したディスクアレイである。ストレージデバイス２５には、オペレーティングシステム等の制御プログラムや各種アプリケーションプログラム、およびこれらのプログラムに付随する各種画面の表示データ等が記憶されている。
【００４５】
メモリ２６は、ＣＰＵ２７が処理を実行するためのワークメモリである。ＣＰＵ２７は、ストレージデバイス２５に記憶されたプログラムをメモリ２６へロードして、プログラムにしたがった処理を実行することにより、コンピュータの各部を統括的に制御する。
【００４６】
通信部２８は、ネットワーク１３を介した各種情報の伝送制御を行うネットワークインターフェースである。ディスプレイ２９は、マウスやキーボード等の入力デバイス３０の操作に応じた各種画面を表示する。画面にはＧＵＩ(Graphical User Interface)による操作機能が備えられる。クライアント端末１１等を構成するコンピュータは、画面を通じて入力デバイス３０からの操作指示の入力を受け付ける。
【００４７】
なお、以下の説明では、クライアント端末１１を構成するコンピュータの各部には添え字の「Ａ」を、情報分析支援サーバ１２を構成するコンピュータの各部には添え字の「Ｂ」をそれぞれ符号に付して区別する。
【００４８】
図６において、ウェブブラウザが起動されると、クライアント端末１１のＣＰＵ２７Ａは、メモリ２６等と協働して、ＧＵＩ制御部３５、およびブラウザ制御部３６として機能する。
【００４９】
ＧＵＩ制御部３５は、各種画面をディスプレイ２９Ａに表示し、かつ各種画面を通じて入力デバイス３０Ａから入力される操作指示を受け付ける。操作指示には、情報分析支援サーバ１２への情報表示画面２１の配信指示、編集指示がある。ＧＵＩ制御部３５は、受け付けた操作指示をブラウザ制御部３６に出力する。
【００５０】
ブラウザ制御部３６は、ウェブブラウザの動作を制御する。ブラウザ制御部３６は、ＧＵＩ制御部３５からの配信指示に応じた配信要求、および編集指示に応じた編集要求を情報分析支援サーバ１２に対して発行する。
【００５１】
また、ブラウザ制御部３６は、情報分析支援サーバ１２からの情報表示画面２１の画面データを受け取る。ブラウザ制御部３６は、画面データに基づきウェブブラウザ上に表示する情報表示画面２１を再現し、これをＧＵＩ制御部３５に出力する。ＧＵＩ制御部３５は、情報表示画面２１をディスプレイ２９Ａに表示する。
【００５２】
情報分析支援サーバ１２のストレージデバイス２５Ｂには、情報分析支援プログラム４０が記憶されている。情報分析支援プログラム４０は、情報分析支援サーバ１２を構成するコンピュータを、情報分析支援装置として機能させるためのアプリケーションプログラムであり、情報分析支援装置の作動プログラムに相当する。
【００５３】
情報分析支援プログラム４０が起動されると、情報分析支援サーバ１２のＣＰＵ２７Ｂは、メモリ２６等と協働して、要求受付部４１、画面生成部４２、および画面出力制御部４３として機能する。
【００５４】
要求受付部４１は、クライアント端末１１からの各種要求を受け付ける。要求受付部４１は、配信要求および編集要求を画面生成部４２に出力する。
【００５５】
画面生成部４２は、配信要求に応じて、サーバ群１７に対して取得要求を発行し、この取得要求に応じてサーバ群１７から送信された診療データを取得する。画面生成部４２は、取得した診療データに基づき情報表示画面２１を生成する。また、画面生成部４２は、編集要求に応じて情報表示画面２１を編集する。画面生成部４２は、生成または編集した情報表示画面２１を画面出力制御部４３に出力する。画面出力制御部４３は、情報表示画面２１を、配信要求または編集要求の要求元のクライアント端末１１に出力する。
【００５６】
図７において、患者ＩＤ入力画面５０は、医師がクライアント端末１１を通じて情報分析支援サーバ１２にアクセスして認証を行った後、最初にディスプレイ２９Ａのウェブブラウザ上に表示される画面である。患者ＩＤ入力画面５０には、患者ＩＤを入力するための入力ボックス５１、および表示ボタン５２が設けられている。なお、患者ＩＤの代わりに対象患者の氏名を入力させてもよい。
【００５７】
入力ボックス５１に診療の対象となる患者（以下、対象患者と表記）の患者ＩＤが入力されて、表示ボタン５２がカーソル５３で選択されると、クライアント端末１１から情報分析支援サーバ１２に対象患者の患者ＩＤを含む配信要求が送信される。
【００５８】
画面生成部４２からサーバ群１７に発行される取得要求には、この対象患者の患者ＩＤが検索キーとして付される。サーバ群１７は、対象患者の患者ＩＤが付された電子カルテ１８、検査画像１９、および医用レポート２０を診療データとして画面生成部４２に送信する。画面生成部４２は、サーバ群１７からの対象患者の診療データに基づき、図８に示す情報表示画面２１を生成する。
【００５９】
図８において、情報表示画面２１は、第１表示領域６０、第２表示領域６１、第３表示領域６２の３つの表示領域を有する。第１表示領域６０は情報表示画面２１の左側に配され、例えば情報表示画面２１の約１／３の面積を占める。第１表示領域６０には表６３が表示される。第２表示領域６１は第１表示領域６０の右側に並べて配され、例えば情報表示画面２１の約２／３の面積を占める。第２表示領域６１には、情報として対象患者の診療データが表示される。
【００６０】
第３表示領域６２は情報表示画面２１の上側に配されている。第３表示領域６２の左側には、対象患者の患者ＩＤ、氏名、性別、年齢、生年月日、および嗜好がまとめて表示される。また、「高血圧」、「糖尿病」等、診断に際して特に留意すべき対象患者の病状も表示される。第３表示領域６２の右端には、情報分析支援サーバ１２にログインした医師の所属診療科および氏名が表示される。
【００６１】
図９において、表６３の行方向の軸Ｘには、診療データを分類する２種の属性のうちの一方として、診療データが取得された日付が割り当てられている。また、軸Ｘに直交する表６３の列方向の軸Ｙには、２種の属性のうちの他方として、診療データの項目が割り当てられている。具体的には、表６３は、診療データが取得された日付が表示される日付欄７０と、診療データの項目が表示される第１項目欄７１Ａおよび第２項目欄７１Ｂとを有する。日付欄７０はＸ軸方向に沿って表６３の上部に設けられている。各項目欄７１Ａ、７１ＢはＹ軸方向に沿って表６３の左横に設けられている。
【００６２】
日付欄７０はＹ軸方向に関して３つの段に分かれており、上段に年、中段に月、下段に日がそれぞれ表示される。日付はカーソル５３で選択することが可能である。日付がカーソル５３で選択されると、クライアント端末１１から情報分析支援サーバ１２に情報表示画面２１の編集要求が送信される。
【００６３】
図８および図９では、ハッチングＨ１で示すように、対象患者の診療データを取得した最新の日付である「２０１６．０３．０５」が選択された状態を示している。画面生成部４２は、配信要求に応じて、例えば、対象患者の診療データを取得した最新の日付が日付欄７０の右端に配され、かつ最新の日付が選択された、図８および図９に示すような情報表示画面２１を最初に生成する。
【００６４】
日付欄７０には、左側にいくにつれて過去の日付が配される。日付欄７０の左右には、日付戻しボタン７２Ａと日付送りボタン７２Ｂが配されている。日付戻しボタン７２Ａがカーソル５３で選択されると、日付欄７０の日付が過去に向けて１日ずつ戻される。一方、日付送りボタン７２Ｂがカーソル５３で選択されると、日付欄７０の日付が最新の日付に向けて１日ずつ送られる。
【００６５】
第１項目欄７１Ａには医療検査が、第２項目欄７１Ｂには治療薬がそれぞれ項目として割り当てられている。各項目欄７１Ａ、７１Ｂには、各項目を端的に表す文字やイラストが表示される。具体的には、第１項目欄７１Ａの血液検査や尿検査等の検体検査の項目には、「血」、「尿」といった各検体検査の頭文字が表示される。ＣＴ検査やＣＡＧ検査等の画像検査の項目には、「ＣＴ」、「ＣＡＧ」といった各画像検査のアルファベットの略字が表示される。また、第２項目欄７１Ｂの治療薬の項目には、注射器とカプセル錠のイラストが表示される。
【００６６】
各項目欄７１Ａ、７１Ｂの項目は、カーソル５３で複数選択することが可能である。項目がカーソル５３で選択されると、クライアント端末１１から情報分析支援サーバ１２に情報表示画面２１の編集要求が送信される。
【００６７】
第１項目欄７１Ａの右横には、医療検査を実施したか否かを示す検査履歴欄７３が設けられている。また、第２項目欄７１Ｂの右横には、治療薬を投与したか否かを示す投薬履歴欄７４が設けられている。これらの各履歴欄７３、７４は、日付欄７０の各日付と各項目欄７１Ａ、７１Ｂの各項目の交差部分である複数個の矩形状のセル７５の集合体である。
【００６８】
検査履歴欄７３のセル７５には、医療検査を実施したことを示すマーク７６が表示される。マーク７６は、その日に実施した医療検査に該当するセル７５のみに表示される。実施していない医療検査に該当するセル７５には何も表示されず、空欄とされる。画面生成部４２は、電子カルテ１８の各検体検査の実施日、および検査画像１９の各画像検査の実施日に基づいて、検査履歴欄７３のセル７５にマーク７６を付す。
【００６９】
マーク７６は２種類あり、検体検査には円形のマーク７６Ａ、画像検査には正方形のマーク７６Ｂがそれぞれ用いられる。このマーク７６によって、どの日にどういった医療検査が実施されたかが一目で分かる。例えば「２０１５．０７．２８」では、「血」、「尿」にマーク７６Ａ、「ＣＲ」、「ＥＣＧ」にマーク７６Ｂがそれぞれ表示されているので、「２０１５．０７．２８」に血液検査、尿検査、ＣＲ検査、およびＥＣＧ検査が実施されたことが分かる。
【００７０】
投薬履歴欄７４のセル７５には、治療薬の名称とともに治療薬を投与したことを示すバー７７が表示される。バー７７は、その日に投与した治療薬に該当するセル７５にのみ表示される。投与していない治療薬に該当するセル７５には何も表示されず、空欄とされる。画面生成部４２は、電子カルテ１８の治療薬の投与日に基づいて、投薬履歴欄７４のセル７５にバー７７を付す。
【００７１】
バー７７によって、どの日にどういった治療薬が投与されたか、および投与期間が一目で分かる。図９の例では、「コンプラビン配合錠」を除く各治療薬が日付欄７０に表示された日付の全期間投与され、「コンプラビン配合錠」は、「２０１５．０８．０８」から投薬が開始されたことが分かる。
【００７２】
各項目欄７１Ａ、７１Ｂの項目と同様、マーク７６が表示された検査履歴欄７３のセル７５もカーソル５３で複数選択することが可能である。一方で、投薬履歴欄７４のセル７５は選択不可である。マーク７６が表示された検査履歴欄７３のセル７５がカーソル５３で選択されると、クライアント端末１１から情報分析支援サーバ１２に情報表示画面２１の編集要求が送信される。なお、日付欄７０は表頭またはボックスヘッド、各項目欄７１Ａ、７１Ｂは表側またはスタブ、各履歴欄７３、７４は表体またはフィールドとも呼ばれる。
【００７３】
日付欄７０と第１項目欄７１Ａおよび検査履歴欄７３との間には、イベント履歴欄７８と診察履歴欄７９とが配されている。イベント履歴欄７８には、その日に発生した初診、入退院、手術といった各種イベントを端的に表す文字、具体的には各イベントの頭文字が表示される。図９では、「２０１５．０７．２８」には初診であることを示す「初」が、「２０１５．０８．２７」には入院したことを示す「入」が、「２０１５．０８．３０」には退院したことを示す「退」が表示されている。
【００７４】
診察履歴欄７９は、Ｙ軸方向に関して３つの段に分かれている。上段には「循（循環器科）」、「内（内科）」等の診察を担当した医師の所属診療科の頭文字、中段には「山（山本一郎）」等の診察を担当した医師の氏名の頭文字、下段には診察を実施したことを示す円形のマーク８０がそれぞれ表示される。例えば「２０１５．０７．２８」には「循」、「山」、およびマーク８０が表示されているので、「２０１５．０７．２８」は循環器科の山本一郎が診察したことが分かる。一方、「２０１５．０８．０１」には「循」のみが表示されているので、「２０１５．０８．０１」は診察なしで、ホルターＥＣＧ検査のみが実施されたことが分かる。
【００７５】
第１項目欄７１Ａおよび検査履歴欄７３と、第２項目欄７１Ｂおよび投薬履歴欄７４との間には、ＰＣＩ（Percutaneous Coronary Intervention；経皮的冠動脈形成術）履歴欄８１が配されている。また、第２項目欄７１Ｂおよび投薬履歴欄７４の下部には、メモ履歴欄８２が配されている。ＰＣＩ履歴欄８１には、医師がＰＣＩに関するコメントを記述したことを示す円形のマーク８３が表示される。また、メモ履歴欄８２には、医師がメモを記述したことを示す円形のマーク８４が表示される。ＰＣＩ履歴欄８１は、ＰＣＩを実施した対象患者にのみ表示される。メモ履歴欄８２も、医師がメモを記述した場合にのみ表示される。
【００７６】
なお、ＰＣＩ履歴欄８１およびメモ履歴欄８２のセル７５は選択不可である。また、検査履歴欄７３のマーク７６Ａ、診察履歴欄７９のマーク８０、ＰＣＩ履歴欄８１のマーク８３、およびメモ履歴欄８２のマーク８４は形状が全て円形であるが、塗り潰しの有り無しや表示色を変えることによって各々が区別可能に表示される。
【００７７】
図８および図９においてハッチングＨ１で示すように「２０１６．０３．０５」といった日付がカーソル５３で選択された場合、第２表示領域６１には、図１０に示すように複数のウィンドウ９０Ａ〜９０Ｐが並べて表示される。ここで、日付は行方向の軸Ｘに割り当てた属性であるため、日付がカーソル５３で選択された場合は第１選択方式に相当し、図１０の第２表示領域６１の表示形式は第１表示形式に相当する。
【００７８】
図１０において、ウィンドウ９０Ａ〜９０Ｐには、診療データの項目名と、診療データを取得した日付と、診療データの概要とが表示される。ウィンドウ９０Ａ〜９０Ｐは、大別して、医療検査の検査結果を表示するウィンドウ９０Ｇ〜９０Ｐと、治療薬および投与量を表示するウィンドウ９０Ｆ（項目名：「投薬」）と、その他の診療データのウィンドウ９０Ａ〜９０Ｅとに分けられる。医療検査の検査結果を表示するウィンドウ９０Ｇ〜９０Ｐはさらに、バイタルサインの検査結果を表示するウィンドウ９０Ｇおよび検体検査の検査結果を表示するウィンドウ９０Ｈ、９０Ｉと、画像検査の検査結果を表示するウィンドウ９０Ｊ〜９０Ｐとに分けられる。
【００７９】
ウィンドウ９０Ｇ、９０Ｈ、９０Ｉには、「心拍数」、「尿酸」、「クレアチニン」といった検査項目とその検査値、前回と比較して検査値が上がったか下がったかを示す矢印９１、検査値が基準値よりも高いことを示すマーク９２が表示される。
【００８０】
ウィンドウ９０Ｇ、９０Ｈ、９０Ｉには、全検査項目のうちの予め設定された主要検査項目のみが表示される。ストレージデバイス２５Ｂには、検査の項目別に主要検査項目が登録された主要検査項目テーブル１２０（図２４参照）が格納されており、画面生成部４２は主要検査項目テーブル１２０に基づいてウィンドウ９０Ｇ、９０Ｈ、９０Ｉに表示する検査項目を選定する。
【００８１】
一方、画像検査の検査結果を表示するウィンドウ９０Ｊ〜９０Ｐには、検査画像１９の縮小画像９３、および医用レポート２０に記述された読影医の所見９４が表示される。
【００８２】
図１０では、検体検査の検査結果を表示するウィンドウとして、尿検査の検査結果を表示するウィンドウ９０Ｈ（項目名：「尿」）と、血液検査の検査結果を表示するウィンドウ９０Ｉ（項目名：「血液」）とが表示されている。また、画像検査の検査結果を表示するウィンドウとして、ＣＲ検査の検査結果を表示するウィンドウ９０Ｊ（項目名：「ＣＲ」）と、ＣＡＧ検査の検査結果を表示するウィンドウ９０Ｋ（項目名：「ＣＡＧ」）と、ＣＴ検査の検査結果を表示するウィンドウ９０Ｌ（項目名：「ＣＴ」）と、ＵＳ検査の検査結果を表示するウィンドウ９０Ｍ（項目名：「ＵＳ」）と、ＥＣＧ検査の検査結果を表示するウィンドウ９０Ｎ（項目名：「ＥＣＧ」）と、ホルターＥＣＧ検査の検査結果を表示するウィンドウ９０Ｏ（項目名：「Holter ECG」）と、負荷ＥＣＧ検査の検査結果を表示するウィンドウ９０Ｐ（項目名：「Treadmill」）とが表示されている。
【００８３】
ウィンドウ９０Ｆには、治療薬および投与量、すなわち処方箋の一部が表示される。その他の診療データのウィンドウ９０Ａ〜９０Ｅは、カルテ記述（項目名：「カルテ」）、イベント（項目名：「入退院」）、ＰＣＩに関するコメント（項目名：「ＰＣＩ」）、既往歴（項目名：「他科記録」）、およびメモ（項目名：「Ｍｅｍｏ」）をそれぞれ表示する。
【００８４】
なお、各ウィンドウ９０の並び順やサイズといったレイアウトは、情報分析支援プログラム４０によって予め規定されていてもよいし、医師が自由にカスタマイズ可能に構成してもよい。
【００８５】
図１１は、日付が選択された場合に、第２表示領域６１にどのような検査結果が表示されるかを示す説明図である。図１１において、上段に示す表６３は、説明の便宜上、第２項目欄７１Ｂおよび投薬履歴欄７４、診察履歴欄７９、ＰＣＩ履歴欄８１、メモ履歴欄８２等を取り払って図８および図９に示す表６３を簡略化したものである。日付欄７０には「０１」〜「０５」の５日間の日付が、第１項目欄７１Ａには「ａ」〜「ｇ」の７つの医療検査の項目がそれぞれ表示されている。また、検査履歴欄７３のセル７５には、図８および図９に示す表６３と同様、マーク７６が表示されている。例えば「０５」では、項目「ａ」、「ｂ」、「ｄ」、「ｇ」にマーク７６が表示されているので、「０５」に「ａ」、「ｂ」、「ｄ」、「ｇ」の医療検査を実施したことが分かる。
【００８６】
図１１では、表６３のハッチングＨ５０で示すように、第１選択方式によって最新の日付である「０５」が選択された場合を示している。また、下段には、「０５」が選択された場合の第２表示領域６１を示している。この第２表示領域６１に表示された各ウィンドウ９０ａ〜９０ｇは、各医療検査「ａ」〜「ｇ」の検査結果を表示するウィンドウである。
【００８７】
第２表示領域６１の各ウィンドウ９０ａ〜９０ｇには、選択された日付における最新の検査結果が表示される。より具体的には、選択された日付に取得された検査結果がある医療検査については、選択された日付に取得された検査結果が各ウィンドウ９０ａ〜９０ｇに表示される。一方、選択された日付に取得された検査結果がない医療検査については、選択された日付よりも過去に取得された検査結果のうちの最新の検査結果が各ウィンドウ９０ａ〜９０ｇに表示される。
【００８８】
図１１の場合、選択された日付「０５」に取得された検査結果がある医療検査は、表６３から分かるように、「ａ」、「ｂ」、「ｄ」、「ｇ」である。これらの医療検査については、中段右側に示すように、当該医療検査の検査結果を表示するウィンドウ９０ａ、９０ｂ、９０ｄ、９０ｇに、「０５」に取得された検査結果が表示される。
【００８９】
一方、選択された日付「０５」に取得された検査結果がない医療検査は、表６３から分かるように、「ｃ」、「ｅ」、「ｆ」である。これらの医療検査については、中段中央から左側に示すように、当該医療検査の検査結果を表示するウィンドウ９０ｃ、９０ｅ、９０ｆに、「０５」よりも過去に取得された検査結果のうちの最新の検査結果が表示される。すなわち、医療検査「ｃ」の検査結果を表示するウィンドウ９０ｃには日付「０４」に取得された検査結果、医療検査「ｅ」の検査結果を表示するウィンドウ９０ｅには日付「０２」に取得された検査結果、医療検査「ｆ」の検査結果を表示するウィンドウ９０ｆには「０１」に取得された検査結果がそれぞれ表示される。こうすることで、第２表示領域６１には、下段に示すように、「０５」に取得された検査結果を表示するウィンドウ９０ａ、９０ｂ、９０ｄ、９０ｇと、「０５」以外に取得された検査結果を表示するウィンドウ９０ｃ、９０ｅ、９０ｆとが並べて表示される。
【００９０】
なお、例えば「０３」がカーソル５３で選択された場合は、医療検査「ａ」、「ｃ」、「ｄ」「ｇ」は「０３」に取得された検査結果があるため、ウィンドウ９０ａ、９０ｃ、９０ｄ、９０ｇには「０３」に取得された検査結果が表示され、医療検査「ｂ」、「ｅ」、「ｆ」は「０３」に取得された検査結果がないため、ウィンドウ９０ｂ、９０ｅには「０２」に取得された検査結果、ウィンドウ９０ｆには「０１」に取得された検査結果がそれぞれ表示される。
【００９１】
この場合、第２表示領域６１には、カーソル５３で選択された日付に取得された検査結果を表示するウィンドウ９０（図１１の例ではウィンドウ９０ａ等）と、カーソル５３で選択された日付以外に取得された他の検査結果を表示するウィンドウ９０（図１１の例ではウィンドウ９０ｃ等）とが混在することになる。このため、このままではどのウィンドウ９０がカーソル５３で選択された日付に取得された検査結果を表示するウィンドウ９０であるかの区別がつかない。
【００９２】
そこで、第２表示領域６１では、カーソル５３で選択された日付に取得された検査結果を表示するウィンドウ９０（図１１ではウィンドウ９０ａ、９０ｂ、９０ｄ、９０ｇ）に、その検査結果がカーソル５３で選択された日付に取得されたことを示す新着枠９５が表示される。
【００９３】
図１０の例では、カーソル５３で選択された「２０１６．０３．０５」に取得された検査結果は血液検査、ＣＡＧ検査、ＥＣＧ検査であるため、これらの検査結果を表示するウィンドウ９０Ｉ、ウィンドウ９０Ｋ、ウィンドウ９０Ｎには、「２０１６．０３．０５」に取得された血液検査、ＣＡＧ検査、ＥＣＧ検査のそれぞれの検査結果が表示される。また、ウィンドウ９０Ｉ、ウィンドウ９０Ｋ、ウィンドウ９０Ｎには新着枠９５が表示される。医療検査の検査結果を表示するウィンドウ９０Ｇ〜９０Ｐのうち、上記のウィンドウ９０Ｉ、ウィンドウ９０Ｋ、ウィンドウ９０Ｎ以外には、「２０１６．０３．０５」よりも過去に取得された検査結果のうちの最新の検査結果が表示される。例えばＣＴ検査の検査結果を表示するウィンドウ９０Ｌには、「２０１５．０８．０４」に取得されたＣＴ検査の検査結果が表示される。これらのウィンドウ９０には新着枠９５は表示されない。
【００９４】
図１２は、ハッチングＨ２で示すように、第１項目欄７１Ａの血液検査の項目がカーソル５３で選択された場合の情報表示画面２１を示している。この場合、第２表示領域６１には、血液検査の各検査項目の検査値の時系列変化を示す時系列変化表１００Ａが表示される。ここで、血液検査の項目は列方向の軸Ｙに割り当てた属性であるため、血液検査の項目がカーソル５３で選択された場合は第２選択方式に相当し、図１２の第２表示領域６１の表示形式は第２表示形式に相当する。
【００９５】
図１２の第２表示領域６１を拡大した図１３において、時系列変化表１００Ａは、表６３の日付欄７０と同様の日付欄１０１と、検査項目およびその単位が表示される検査項目欄１０２と、検査項目欄１０２の右横に設けられ、検査値が記される検査値履歴欄１０３とを有している。
【００９６】
検査項目欄１０２には、全検査項目のうち、主要検査項目を含む選別された複数の検査項目が表示される。日付欄１０１の左右には、表６３と同様の日付戻しボタン１０４Ａと日付送りボタン１０４Ｂが配されている。また、検査値が基準値よりも高い検査項目には、検査項目欄１０２に図１０のマーク９２と同様のマーク１０５が表示され、かつ検査値履歴欄１０３に正方形のマーク１０６が表示される。
【００９７】
図１４は、ハッチングＨ２に加えてハッチングＨ３で示すように、図１２の第１項目欄７１Ａの血液検査の項目に加えて、第２項目欄７１Ｂの治療薬の項目がカーソル５３で選択された場合の情報表示画面２１を示している。この場合、第２表示領域６１には、血液検査の各検査項目の検査値の時系列変化を示す時系列変化表１００Ａに加えて、治療薬およびその投与量の時系列変化を示す時系列変化表１００Ｂが表示される。ここで、治療薬の項目も血液検査の項目と同様に列方向の軸Ｙに割り当てた属性であるため、血液検査および治療薬の項目がカーソル５３で選択された場合は第２選択方式で項目が複数選択された場合に相当し、図１４の第２表示領域６１の表示形式は項目が複数選択された場合の第２表示形式に相当する。
【００９８】
時系列変化表１００Ｂは、第２項目欄７１Ｂおよび投薬履歴欄７４を拡大表示したような内容で、治療薬および投与量と、投薬履歴欄７４のバー７７と同様のバー１０７が表示される。この場合、日付欄１０１や日付戻しボタン１０４Ａ、日付送りボタン１０４Ｂは、各時系列変化表１００Ａ、１００Ｂで共用される。なお、図示は省略するが、画像検査の項目がカーソル５３で選択された場合は、第２表示領域６１には検査画像１９の縮小画像９３が時系列に並べて表示される。
【００９９】
診療データの時系列変化の表示方法としては、上記の時系列変化表１００に代えて、あるいは加えて、例えば日付を横軸、検査値を縦軸とした二次元平面に、各日の検査値をプロットして線で結んだ折れ線グラフを表示してもよい。
【０１００】
図１５は、ハッチングＨ４で示すように、「２０１５．１０．２６」の血液検査の項目のセル７５がカーソル５３で選択された場合の情報表示画面２１を示している。この場合、第２表示領域６１には、「２０１５．１０．２６」の血液検査の全検査項目の検査値を示す詳細表１１０が表示される。ここで、セル７５は２種の属性である日付と項目の交差部分であるため、セル７５がカーソル５３で選択された場合は第３選択方式に相当し、図１５の第２表示領域６１の表示形式は第３表示形式に相当する。
【０１０１】
図１５の第２表示領域６１を拡大した図１６において、詳細表１１０は左右２つに分かれており、検査項目とその単位、並びに検査値の基準値が表示される検査項目欄１１１と、検査値が記される検査値欄１１２Ａとを有している。検査項目欄１１１には全検査項目が表示される。また、検査値欄１１２Ａの上部には、選択されたセル７５に該当する日付が表示される。検査値が基準値よりも高い検査項目には、検査項目欄１０２に図１０のマーク９２や図１３のマーク１０５と同様のマーク１１３が表示され、かつ検査値欄１１２に図１３のマーク１０６と同様のマーク１１４が表示される。
【０１０２】
図１７は、ハッチングＨ４に加えてハッチングＨ５で示すように、「２０１５．１０．２６」の血液検査の項目のセル７５に加えて、「２０１６．０３．０５」の血液検査の項目のセル７５がカーソル５３で選択された場合の情報表示画面２１を示している。この場合、第２表示領域６１の詳細表１１０には、「２０１５．１０．２６」の血液検査の検査値が記される検査値欄１１２Ａの横に、「２０１６．０３．０５」の血液検査の検査値が記される検査値欄１１２Ｂが追加される。ここで、「２０１５．１０．２６」の血液検査の項目のセル７５に加えて、「２０１６．０３．０５」の血液検査の項目のセル７５がカーソル５３で選択された場合は第３選択方式でセル７５が複数選択された場合に相当し、図１７の第２表示領域６１の表示形式はセル７５が複数選択された場合の第３表示形式に相当する。
【０１０３】
図１８は、ハッチングＨ６で示すように、「２０１５．０８．２８」のＣＡＧ検査の項目のセル７５がカーソル５３で選択された場合の情報表示画面２１を示している。この場合、第２表示領域６１には、「２０１５．０８．２８」のＣＡＧ検査で得られた検査画像１９Ａが表示される。この場合も図１５の場合と同様に第３選択方式に相当し、第２表示領域６１の表示形式は第３表示形式に相当する。
【０１０４】
図１９は、ハッチングＨ６に加えてハッチングＨ７で示すように、「２０１５．０８．２８」のＣＡＧ検査の項目のセル７５に加えて、「２０１６．０３．０５」のＣＡＧ検査の項目のセル７５がカーソル５３で選択された場合の情報表示画面２１を示している。この場合、第２表示領域６１には、「２０１５．０８．２８」のＣＡＧ検査で得られた検査画像１９Ａに加えて、「２０１６．０３．０５」のＣＡＧ検査で得られた検査画像１９Ｂが表示される。この場合も図１７の場合と同様に第３選択方式でセル７５が複数選択された場合に相当し、第２表示領域６１の表示形式はセル７５が複数選択された場合の第３表示形式に相当する。
【０１０５】
以上図８〜１０および図１２〜図１９を用いて説明してきたように、第２表示領域６１には、表６３の日付が選択された場合（第１選択方式、図８〜図１０）、項目が選択された場合（第２選択方式、図１２〜図１４）、並びにセル７５が選択された場合（第３選択方式、図１５〜図１９）で、診療データが異なる３通りの表示形式で表示される。
【０１０６】
図２０および図２１は、図１１に示した簡易的な表６３を用いて、各選択方式に応じた情報表示画面２１の表示形式をまとめたものである。
【０１０７】
図２０において、ハッチングＨ１００で示すように、第１選択方式によって日付が選択された場合、上段に示すように、画面生成部４２は、各診療データの概要を示すウィンドウ９０を第２表示領域６１に並べて表示する第１表示形式とする。
【０１０８】
ハッチングＨ２００で示すように、第２選択方式によって項目が選択された場合、中段に示すように、画面生成部４２は、診療データの時系列変化を示す時系列変化表１００を第２表示領域６１に表示する第２表示形式とする。
【０１０９】
ハッチングＨ３００で示すように、第３選択方式によってセル７５が選択された場合、下段に示すように、画面生成部４２は、診療データの詳細（ここでは検査画像１９）を第２表示領域６１に表示する第３表示形式とする。
【０１１０】
また、図２１において、ハッチングＨ２５０で示すように、第２選択方式によって項目が複数選択された場合、上段に示すように、画面生成部４２は、選択された複数の診療データの時系列変化表１００を並べて第２表示領域６１に表示する。さらに、ハッチングＨ３５０で示すように、第３選択方式によってセル７５が複数選択された場合、下段に示すように、画面生成部４２は、選択された複数のセル７５に対応する診療データの詳細（ここでは検査画像１９）を並べて第２表示領域６１に表示する。
【０１１１】
以下、上記構成による作用について、図２２のフローチャートを参照して説明する。まず医師は、クライアント端末１１を通じて情報分析支援サーバ１２にアクセスして認証を行う。認証後、クライアント端末１１のディスプレイ２９Ａには、図７に示す患者ＩＤ入力画面５０が表示される。
【０１１２】
医師は、患者ＩＤ入力画面５０の入力ボックス５１に対象患者の患者ＩＤを入力して、カーソル５３で表示ボタン５２を選択する。これによりクライアント端末１１から情報分析支援サーバ１２に情報表示画面２１の配信要求が送信される。
【０１１３】
情報分析支援サーバ１２では、要求受付部４１により配信要求が受け付けられる（ステップＳ１００でＹＥＳ）。配信要求は画面生成部４２に出力される。これにより画面生成部４２からサーバ群１７に取得要求が発行され、取得要求に応じてサーバ群１７から送信された対象患者の診療データが画面生成部４２で取得される。
【０１１４】
ステップＳ１１０に示すように、画面生成部４２により対象患者の診療データに基づく情報表示画面２１が生成される。生成された情報表示画面２１は画面出力制御部４３により配信要求の要求元のクライアント端末１１に出力される（ステップＳ１２０）。この場合の情報表示画面２１は、図８〜図１０に示すように、対象患者の診療データを取得した最新の日付が選択された第１選択方式によって、第２表示領域６１に対象患者の各診療データの概要を示す複数のウィンドウ９０が表示された第１表示形式の状態である。
【０１１５】
クライアント端末１１では、情報分析支援サーバ１２からの情報表示画面２１がブラウザ制御部３６で受け取られ、ＧＵＩ制御部３５により情報表示画面２１がディスプレイ２９Ａに表示される。
【０１１６】
医師は、情報表示画面２１を閲覧し、必要に応じて表６３の日付、項目、またはセル７５をカーソル５３で選択する。これによりクライアント端末１１から情報分析支援サーバ１２に情報表示画面２１の編集要求が送信される。
【０１１７】
情報分析支援サーバ１２では、要求受付部４１により編集要求が受け付けられる（ステップＳ１３０でＹＥＳ）。編集要求は画面生成部４２に出力される。表６３の日付がカーソル５３で選択された場合、すなわち第１選択方式であった場合（ステップＳ１４０でＹＥＳ）、画面生成部４２により、各診療データの概要を示すウィンドウ９０を第２表示領域６１に並べて表示する第１表示形式に情報表示画面２１が編集される（ステップＳ１５０）。第１表示形式に編集された情報表示画面２１は画面出力制御部４３により編集要求の要求元のクライアント端末１１に出力される（ステップＳ１６０）。
【０１１８】
第１表示形式では、各診療データの概要を示すウィンドウ９０によって、対象患者の病状を網羅的に把握することができる。また、第１表示形式では、カーソル５３で選択された日付に取得された検査結果がない場合、選択された日付よりも過去に取得された検査結果のうちの最新の検査結果が表示されるので、選択された日付に取得された検査結果と、選択された日付よりも過去に取得された検査結果とを比較することができる。そしてこの場合、カーソル５３で選択された日付に取得された検査結果を表示するウィンドウ９０に新着枠９５が表示されるので、カーソル５３で選択された日付に取得された検査結果と、それ以外の検査結果とを区別することができる。
【０１１９】
さらに第１表示形式では、カルテ記述、イベント、および既往歴を示すウィンドウ９０Ａ、９０Ｂ、９０Ｄが第２表示領域６１に表示されるので、対象患者の病状への理解をより深めることができる。
【０１２０】
表６３の項目がカーソル５３で選択された場合、すなわち第２選択方式であった場合（ステップＳ１４０でＮＯ、ステップＳ１７０でＹＥＳ）、画面生成部４２により、診療データの時系列変化を示す時系列変化表１００を第２表示領域６１に表示する第２表示形式に情報表示画面２１が編集される（ステップＳ１８０）。項目が複数選択された場合は、選択された複数の診療データの時系列変化表１００が並べて第２表示領域６１に表示される。第２表示形式に編集された情報表示画面２１は画面出力制御部４３により編集要求の要求元のクライアント端末１１に出力される（ステップＳ１９０）。
【０１２１】
第２表示形式では、時系列変化表１００によって、対象患者の病状の変化を的確に把握することができる。また、項目が複数選択された場合は、選択された複数の診療データの時系列変化表１００が並べて第２表示領域６１に表示されるので、例えば血液検査と治療薬の項目を選択して治療薬投与後の治療効果を判定する等、複数の診療データ間の因果関係を調べることができる。
【０１２２】
表６３のセル７５がカーソル５３で選択された場合、すなわち第３選択方式であった場合（ステップＳ１４０、ステップＳ１７０でＮＯ）、画面生成部４２により、診療データの詳細を第２表示領域６１に表示する第３表示形式に情報表示画面２１が編集される（ステップＳ２００）。セル７５が複数選択された場合は、選択された複数のセル７５に対応する診療データの詳細が並べて第２表示領域６１に表示される。第３表示形式に編集された情報表示画面２１は画面出力制御部４３により編集要求の要求元のクライアント端末１１に出力される（ステップＳ２１０）。これらステップＳ１３０〜ステップＳ２１０の処理は、情報表示画面２１の表示終了まで（ステップＳ２２０でＹＥＳ）続けられる。
【０１２３】
第３表示形式では、対象患者の病状を詳細に把握することができる。また、セル７５が複数選択された場合は、選択された複数のセル７５に対応する診療データの詳細が並べて第２表示領域６１に表示されるので、例えば前回と今回のＣＡＧ検査の検査画像１９を比較して対象患者の病状が良化しているか否かを判定する等、複数の診療データを詳細に比較することができる。
【０１２４】
各選択方式に応じて、診療データを異なる３通りの表示形式で第２表示領域６１に表示するので、多角的に情報を把握することができる。このため、例えば初診から入院までは第１選択方式によって第１表示形式としてより広範な検査結果を閲覧し、手術の直前直後は第３選択方式によって第３表示形式としてより詳細な検査結果を把握し、手術後の通院による経過観察では第２選択方式によって第２表示形式として検査結果の時系列変化を観察する、というように、診療のフェーズに適応した視点に自在に切り替えて検査結果を分析することができる。
【０１２５】
また、診断をする際に、第１選択方式によって第１表示形式としてより広範な検査結果で全体像を掴み、第３選択方式によって第３表示形式として着目する項目をより詳細な検査結果で確認し、第２選択方式によって第２表示形式として投薬の判断をするために検査結果の時系列変化をチェックする、というように、同一の診療フェーズの中で、目的に応じた視点に自在に切り替えて検査結果を分析することができる。
【０１２６】
表示形式の切り替え操作としては、カーソル５３で日付、項目、またはセル７５を選択するだけであり、また、第１表示領域６０と第２表示領域６１は別画面ではなく同一画面に並べて配されていて、第１表示領域６０と第２表示領域６１の表示の切り替え操作が必要ないので、検査結果の分析を効率的に進めることができる。
【０１２７】
医師が医療検査の検査結果を分析して診断を下す場合は、上記のように診療のフェーズに応じて検査結果の分析の視点が異なるため、多角的に情報を把握する必要性が高い。したがって、本実施形態のように診療データを情報として情報分析支援を行うことで、多角的に情報を把握したいという医療現場のニーズに応えることができる。
【０１２８】
また、医師は多忙を極めるため、できるだけ労力を掛けずに情報を把握したいというニーズもある。本発明では、上述のように表示形式の切り替え操作が簡単で、かつ煩雑な画面の切り替え操作が必要ないので、労力を掛けずに情報を把握したいというニーズにも応えることができる。検査結果のインデックスとしての役割を果たす表６３へのワンクリック操作のみで、複雑な操作をすることなく第２表示領域６１の３通りの表示形式が選択できるため、操作が簡便である。この操作の簡便性は、第１表示領域６０に検査結果のインデックスとしての役割を果たす表６３を表示しているために生じる効果である。
【０１２９】
上記第１実施形態では、カーソル５３で選択された日付に取得された検査結果を表示するウィンドウ９０に新着枠９５を表示することで、他のウィンドウ９０と区別して表示しているが、新着枠９５に代えて、あるいは加えて、カーソル５３で選択された日付に取得された検査結果を表示するウィンドウ９０の外枠を点滅表示させたり、カーソル５３で選択された日付に取得された検査結果を表示するウィンドウ９０の背景色を他のウィンドウ９０と別の色にする等して区別してもよい。
【０１３０】
上記第１実施形態では、第１表示形式において、選択された日付に取得された検査結果と、選択された日付よりも過去に取得された検査結果のうちの最新の検査結果とを第２表示領域６１に表示しているが、選択された日付に取得された検査結果のみを第２表示領域６１に表示してもよい。この場合は新着枠９５を表示する必要がなくなる。
【０１３１】
図１７、図１９、および図２１では、血液検査、ＣＡＧ検査等、同じ項目のセル７５が複数選択される場合を例示しているが、異なる項目のセル７５が複数選択されてもよい。
【０１３２】
［第２実施形態］
上記第１実施形態では、第３選択方式によってセル７５が選択された場合に、第２表示領域６１に診療データの詳細を表示しているが、セル７５が選択された場合に加えて、第１表示形式においてウィンドウ９０が選択された場合を、診療データの詳細の表示のトリガーとしてもよい。
【０１３３】
具体的には図２３の左側に示すように、第１表示形式において、ハッチングＨ５００で示すように、医療検査「ａ」の検査結果を表示するウィンドウ９０がカーソル５３で選択された場合、画面生成部４２は、第３表示形式と同様に、第２表示領域６１の表示を、医療検査「ａ」の検査結果の詳細（ここでは医療検査「ａ」の検査結果の詳細表１１０）の表示に切り替える。このように、診療データの詳細の表示のトリガーを２通り用意することにより、医師の利便性を高めることができる。
【０１３４】
［第３実施形態］
上記第１実施形態では、第１表示形式において、複数の検査項目を含む検査結果を表示するウィンドウ９０Ｇ、９０Ｈ、９０Ｉに、全検査項目のうちの予め設定された主要検査項目のみを表示しているが、初診時に取得された検査結果であるか否かに応じて、表示する検査項目を切り替えてもよい。
【０１３５】
具体的には図２４の上段に示すように、初診の日付である「０１」の医療検査「ａ」の検査結果をウィンドウ９０に表示する場合、画面生成部４２は、主要検査項目テーブル１２０に設定された主要検査項目（この場合はＸＸＸａ１、ＸＸＸａ５、ＸＸＸａ１２）以外の他の検査項目も含めて表示する。一方、初診時以外に取得された検査結果、例えば初診以外の日付である「０５」の医療検査「ａ」の検査結果をウィンドウ９０に表示する場合は、下段に示すように、画面生成部４２は、主要検査項目のみを表示する。
【０１３６】
初診時はより正確な確定診断を下すために、より多くの判断材料を必要とする。このため、本実施形態のように初診時に取得された検査結果を第２表示領域６１に表示する場合に、主要検査項目以外の他の項目も含めて表示することで、正確な確定診断を下すための豊富な判断材料を医師に提供することができる。
【０１３７】
また、初診から日が経った場合は、実施した医療検査が一般的に初診時よりも増え、１つ１つのウィンドウ９０の表示スペースが狭くなる。このためウィンドウ９０に表示する情報の量が制限されてしまうが、本実施形態のように初診時以外に取得された検査結果を第２表示領域６１に表示する場合に、主要検査項目のみを表示することで、限られた表示スペースで最低限必要な情報を医師に提供することができる。
【０１３８】
［第４実施形態］
なお、第１表示形式において、第２表示領域６１に並べて表示するウィンドウ９０（検査結果）の多寡に応じて、第２表示領域６１に表示する１つのウィンドウ９０（検査結果）の検査項目の数を増減させてもよい。
【０１３９】
具体的には、第２表示領域６１に表示するウィンドウ９０の数が比較的少ない場合、画面生成部４２は、１つのウィンドウ９０に表示する検査項目の数を増やす。一方、第２表示領域６１に表示するウィンドウ９０の数が比較的多い場合、画面生成部４２は、１つのウィンドウ９０に表示する検査結果の検査項目の数を減らす。
【０１４０】
さらに具体的には、図２５の左側に示すように、第２表示領域６１に表示するウィンドウ９０が医療検査「ａ」、「ｆ」の２つであった場合は、医療検査「ａ」の検査結果を表示するウィンドウ９０にＸＸＸａ１〜ＸＸＸａ１３の計１３個の検査項目を表示する。
【０１４１】
図２５の中央に示すように、第２表示領域６１に表示するウィンドウ９０が医療検査「ａ」、「ｂ」、「ｅ」、「ｇ」の４つであった場合は、医療検査「ａ」の検査結果を表示するウィンドウ９０にＸＸＸａ１〜ＸＸＸａ７の計７個の検査項目を表示する。すなわち図２５の左側のウィンドウ９０が２つであった場合よりも、医療検査「ａ」の検査結果を表示するウィンドウ９０に表示する検査項目の数を６個減らす。
【０１４２】
さらに図２５の右側に示すように、第２表示領域６１に表示するウィンドウ９０が医療検査「ａ」〜「ｇ」の７つであった場合は、医療検査「ａ」の検査結果を表示するウィンドウ９０にＸＸＸａ１〜ＸＸＸａ３の計３個の検査項目を表示する。すなわち図２５の中央のウィンドウ９０が４つであった場合よりも、医療検査「ａ」の検査結果を表示するウィンドウ９０に表示する検査項目の数を４個減らす。
【０１４３】
このように、第１表示形式において、第２表示領域６１に並べて表示する検査結果の多寡に応じて、第２表示領域６１に表示する１つの検査結果の検査項目の数を増減させることで、表示スペースに応じて適切に検査結果を表示することができる。なお、ウィンドウ９０に表示する検査項目を最小の数に減らす場合は、上記第３実施形態のように主要検査項目のみを表示してもよい。
【０１４４】
［第５実施形態］
本実施形態では、図２６に示すように、例えば尿検査の検査結果を表示するウィンドウ９０Ｈにカーソル５３を重ね合わせた場合、画面生成部４２は、尿検査の検査結果の詳細表１１０を第２表示領域６１にポップアップ表示する。また、画面生成部４２は、詳細表１１０をポップアップ表示した尿検査の検査結果に対応するセル７５Ａ（この場合は「２０１５．０８．０８」の尿検査に該当するセル７５）を、マーク７６Ａとマーク７６以外の部分を反転させる等して、他のセル７５と区別して表示する。
【０１４５】
このように、第１表示形式において、診療データの詳細を第２表示領域６１にポップアップ表示することで、ある診療データの詳細とその他の診療データの概要とを同時に第２表示領域６１に表示することができ、これらを比較することができる。また、詳細をポップアップ表示した診療データに対応するセル７５Ａを他のセルと区別して表示するので、どの診療データの詳細をポップアップ表示しているかが一目で分かる。
【０１４６】
なお、ウィンドウ９０にカーソル５３が重ね合わされたことを、診療データの詳細をポップアップ表示するトリガーとしているが、これに代えて、ウィンドウ９０をカーソル５３で選択した場合や、ウィンドウ９０にカーソル５３を重ね合わせて右クリックした場合に診療データの詳細をポップアップ表示してもよい。また、詳細をポップアップ表示した診療データに対応するセル７５Ａを点滅表示させる等して、他のセル７５と区別して表示してもよい。
【０１４７】
上記各実施形態では、表６３の行方向の軸Ｘに日付、列方向の軸Ｙに項目をそれぞれ割り当てているが、逆に表６３の行方向の軸Ｘに項目、列方向の軸Ｙに日付を割り当ててもよい。
【０１４８】
本発明の情報分析支援装置に相当する情報分析支援サーバ１２を構成するコンピュータのハードウェア構成は種々の変形が可能である。例えば、情報分析支援サーバ１２を、処理能力や信頼性の向上を目的として、ハードウェアとして分離された複数台のサーバコンピュータで構成することも可能である。例えば、要求受付部４１の機能と、画面生成部４２および画面出力制御部４３の機能とを、２台のサーバコンピュータに分散して担わせる。この場合は２台のサーバコンピュータで情報分析支援装置を構成する。
【０１４９】
また、上記第１実施形態では、情報分析支援サーバ１２で情報表示画面２１を生成し、情報分析支援サーバ１２からの情報表示画面２１の画面データに基づいて、クライアント端末１１側で情報表示画面２１を再現してディスプレイ２９Ａに表示する態様を例示したが、情報表示画面２１の生成の元となる診療データを情報分析支援サーバ１２からクライアント端末１１に送信し、クライアント端末１１側で情報表示画面２１を生成してもよい。この場合、画面生成部４２は、クライアント端末１１のＣＰＵ２７Ａに構築される。
【０１５０】
さらに、画面出力制御部４３を除く情報分析支援サーバ１２のＣＰＵ２７Ｂに構築した各機能部をクライアント端末１１のＣＰＵ２７Ａに構築し、クライアント端末１１を情報分析支援装置として稼働させてもよい。この場合、要求受付部４１は、配信要求等に代えて、ＧＵＩ制御部３５から配信指示等を受け付ける。また、画面生成部４２は、生成した情報表示画面２１をＧＵＩ制御部３５に出力する。この場合、ＧＵＩ制御部３５が画面出力制御部４３の機能を担う。
【０１５１】
このように、コンピュータのハードウェア構成は、処理能力、安全性、信頼性等の要求される性能に応じて適宜変更することができる。さらに、ハードウェアに限らず、情報分析支援プログラム４０等のアプリケーションプログラムについても、安全性や信頼性の確保を目的として、二重化したり、あるいは、複数のストレージデバイスに分散して格納することももちろん可能である。
【０１５２】
上記各実施形態では、情報分析支援サーバ１２を１つの医療施設内で利用する形態で説明したが、情報分析支援サーバ１２を複数の医療施設が利用可能な形態としてもよい。
【０１５３】
上記各実施形態では、情報分析支援サーバ１２は、１つの医療施設内に設置されるクライアント端末１１がＬＡＮ等のネットワーク１３を介して通信可能に接続され、クライアント端末１１からの配信要求等に応じた情報表示画面２１を提供する形態である。これを複数の医療施設で利用可能とするためには、情報分析支援サーバ１２を、例えば、インターネットや公衆通信網等のＷＡＮ（Wide Area Network）を介して、複数の医療施設に設置される各クライアント端末１１と通信可能に接続する。そして、複数の医療施設の各クライアント端末１１からの配信要求等を、ＷＡＮを介して情報分析支援サーバ１２で受け付けて、各クライアント端末１１に対して情報表示画面２１を提供する。なお、ＷＡＮを利用する場合には、情報セキュリティを考慮して、ＶＰＮ（Virtual Private Network）を構築したり、ＨＴＴＰＳ（Hypertext Transfer Protocol Secure)等のセキュリティレベルの高い通信プロトコルを使用することが好ましい。
【０１５４】
なお、この場合は電子カルテ１８、検査画像１９、および医用レポート２０は医療施設毎に管理される。また、この場合の情報分析支援サーバ１２の設置場所および運営主体は、例えば医療施設とは別の会社が運営するデータセンタでもよいし、複数の医療施設のうちの１つでもよい。
【０１５５】
上記各実施形態では、情報として診療データを例示したが、本発明はこれに限定されない。例えば製品の出荷前テストの工程管理データ、あるいは出版物の印刷校正データ等、様々なデータを情報として取り扱ってもよい。
【０１５６】
製品の出荷前テストの工程管理データの場合は、工程の日付および出荷前テストの種類を属性として表の行方向の軸、または列方向の軸にそれぞれ割り当て、例えば第１表示形式では各出荷前テストの結果の概要を並べて表示し、第２表示形式では出荷前テストで得られた測定値の時系列変化を表示し、第３表示形式では出荷前テストの結果の詳細を表示する。出版物の印刷校正データの場合は、校正の日付および校正の種類を属性として表の行方向の軸、または列方向の軸にそれぞれ割り当て、例えば第１表示形式では各校正の結果の概要を並べて表示し、第２表示形式では校正結果の時系列変化を表示し、第３表示形式では校正結果の詳細を表示する。
【０１５７】
本発明は、上述の種々の実施形態や種々の変形例を適宜組み合わせることも可能である。また、上記各実施形態に限らず、本発明の要旨を逸脱しない限り種々の構成を採用し得ることはもちろんである。さらに、本発明は、プログラムに加えて、プログラムを記憶する記憶媒体にも及ぶ。
【符号の説明】
【０１５８】
１０  情報分析支援システム
１１  クライアント端末
１２  情報分析支援サーバ（情報分析支援装置）
１８  電子カルテ
１９、１９Ａ、１９Ｂ  検査画像
２０  医用レポート
２１  情報表示画面
２７、２７Ａ、２７Ｂ  ＣＰＵ
４０  情報分析支援プログラム（情報分析支援装置の作動プログラム）
４２  画面生成部
４３  画面出力制御部
６０  第１表示領域
６１  第２表示領域
６３  表
７０  日付欄
７１Ａ、７１Ｂ  第１項目欄、第２項目欄
７５、７５Ａ  セル
９０、９０Ａ〜９０Ｐ、９０ａ〜９０ｇ  ウィンドウ
９５  新着枠
１００、１００Ａ、１００Ｂ  時系列変化表
１１０  詳細表
１１２Ａ、１１２Ｂ  検査値欄
１２０  主要検査項目テーブル
【図１】
0006527771.tif 000002
【図２】
0006527771.tif 000003
【図３】
0006527771.tif 000004
【図４】
0006527771.tif 000005
【図５】
0006527771.tif 000006
【図６】
0006527771.tif 000007
【図７】
0006527771.tif 000008
【図８】
0006527771.tif 000009
【図９】
0006527771.tif 000010
【図１０】
0006527771.tif 000011
【図１１】
0006527771.tif 000012
【図１２】
0006527771.tif 000013
【図１３】
0006527771.tif 000014
【図１４】
0006527771.tif 000015
【図１５】
0006527771.tif 000016
【図１６】
0006527771.tif 000017
【図１７】
0006527771.tif 000018
【図１８】
0006527771.tif 000019
【図１９】
0006527771.tif 000020
【図２０】
0006527771.tif 000021
【図２１】
0006527771.tif 000022
【図２２】
0006527771.tif 000023
【図２３】
0006527771.tif 000024
【図２４】
0006527771.tif 000025
【図２５】
0006527771.tif 000026
【図２６】
0006527771.tif 000027